(57)【要約】【課題】  観光エリアやテーマパーク等の所定の案内エリア内を徒歩で巡る人が行き先の目的個所への道案内に用いる携行案内地図について、携行案内地図を広げて前方にある目的個所や四囲の注目個所の方向に合わせて携行案内地図を左右に回転させても、注目個所・目的個所に関する表記文字列がいつも読み取り易い方向に向くようにすることにより、携行地図上で目的個所と其処への道筋を即座に正しく把握・認識できるようにする。【解決手段】  開閉自在に折り畳まれるシートの表面に、所定の案内エリア内の目的個所とそれらの目的個所に通じる道の位置関係を平面図的に図示し、それらの目的個所や道に関する表記文字列を、上記シート表面に仮想設定される要所点を通る仮想放射状線またはそれらの仮想放射状線に直交する仮想直交線に沿わせ且つその表記文字列の各文字の上部を上記シートの外方向に向けて配置表示した案内地図を形成する。【選択図】  図３
0003114884.tif 000002
【実用新案登録請求の範囲】
【請求項１】
開閉自在に折り畳まれるシートの表面に、所定の案内エリア内の目的個所とそれらの目的個所に通じる道の位置関係が平面図的に図示され、前記目的個所および／または前記道に関する表記文字列の少なくとも主要な表記文字列が、前記シート表面に仮想設定される要所点を通る仮想放射状線またはそれらの仮想放射状線に直交する仮想直交線に沿い且つ前記表記文字列の各文字の上部が前記シートの外方向に向いて配置表示されたことを特徴とする案内地図。
【請求項２】
開閉自在に折り畳まれる複数のシートの各表面に、それぞれ異なる所定の案内エリア内の目的個所とそれらの目的個所に通じる道の位置関係が平面図的に図示され、前記目的個所および／または前記道に関する表記文字列の少なくとも主要な表記文字列が、前記各シート表面に仮想設定される要所点を通る仮想放射状線またはそれらの仮想放射状線に直交する仮想直交線に沿い且つ前記表記文字列の各文字の上部が前記シートの外方向に向いて配置表示され、前記各シート裏面の一つの折り畳み面が、他のシートの裏面の一つの折り畳み面に接着されてなることを特徴とする案内地図。
【請求項３】
開閉自在に折り畳まれる正多角形のシートの表面に、所定の案内エリア内の目的個所とそれらの目的個所に通じる道の位置関係が平面図的に図示され、前記目的個所および／または前記道に関する表記文字列の少なくとも主要な表記文字列が、前記シート表面に仮想設定される要所点を通る仮想放射状線またはそれらの仮想放射状線に直交する仮想直交線に沿い且つ前記表記文字列の各文字の上部が前記シートの外方向に向いて配置表示されたことを特徴とする案内地図。
【請求項４】
開閉自在に折り畳まれる複数の正多角形のシートの各表面に、それぞれ異なる所定の案内エリア内の目的個所とそれらの目的個所に通じる道の位置関係が平面図的に図示され、前記目的個所および／または前記道に関する表記文字列の少なくとも主要な表記文字列が、前記各シート表面に仮想設定される要所点を通る仮想放射状線またはそれらの仮想放射状線に直交する仮想直交線に沿い且つ前記表記文字列の各文字の上部が前記シートの外方向に向いて配置表示され、前記各シート裏面の一つの折り畳み面が、他のシートの裏面の一つの折り畳み面に、接着されてなることを特徴とする案内地図。
【請求項５】
開閉自在に折り畳まれる円形のシートの表面に、所定の案内エリア内の目的個所とそれらの目的個所に通じる道の位置関係が平面図的に図示され、前記目的個所および／または前記道に関する表記文字列の少なくとも主要な表記文字列が、前記シート表面に仮想設定される要所点を通る仮想放射状線またはそれらの仮想放射状線に直交する仮想直交線に沿い且つ前記表記文字列の各文字の上部が前記シートの外方向に向いて配置表示されたことを特徴とする案内地図。
【請求項６】
開閉自在に折り畳まれる複数の円形のシートの各表面に、それぞれ異なる所定の案内エリア内の目的個所とそれらの目的個所に通じる道の位置関係が平面図的に図示され、前記目的個所および／または前記道に関する表記文字列の少なくとも主要な表記文字列が、前記各シート表面に仮想設定される要所点を通る仮想放射状線またはそれらの仮想放射状線に直交する仮想直交線に沿い且つ前記表記文字列の各文字の上部が前記シートの外方向に向いて配置表示され、前記各シート裏面の一つの折り畳み面が、他のシートの裏面の一つの折り畳み面に接着されてなることを特徴とする案内地図。
【請求項７】
要所点が、シートの中心位置に設定されたことを特徴とする請求項１ないし請求項６のいずれか１項に記載の案内地図。
【請求項８】
シートの折り畳み線が、シートの中心位置を通る放射線状に設定され、シートの各折り畳み面が同形であることを特徴とする請求項１ないし請求項７のいずれか１項に記載の案内地図。
【請求項９】
シートの裏面に形成された折り畳み面のうち、互いに隣り合う位置にあって折り畳む際に互に接合する折り畳み面に、折り畳み接合面表示マークが付記されたことを特徴とする請求項１ないし請求項８のいずれか１項に記載の案内地図。
【請求項１０】
シートにおける折り畳み面の外縁部に、１対のシート開閉用タブが形成されたことを特徴とする請求項１ないし請求項９のいずれか１項に記載の案内地図。
【請求項１１】
複数のシートのそれぞれの折り畳み面の外縁部に、各シート毎に対をなすシート開閉用タブが形成され、且つ各シートに形成される前記シート開閉用タブの形成位置が、互いに重らない位置に設定されたことを特徴とする請求項１ないし請求項９のいずれか１項に記載の案内地図。
【請求項１２】
シートにおける互に向かい合う折り畳み面の外縁部にシート開閉用タブが形成されたことを特徴とする請求項１ないし請求項１１のいずれか１項に記載の案内地図。
【請求項１３】
開閉自在に折り畳まれる２枚の同径の円形のシートのそれぞれの表面に、それぞれ異なる所定の案内エリア内の目的個所とそれらの目的個所に通じる道の位置関係が平面図的に図示され、前記目的個所および／または前記道に関する表記文字列の少なくとも主要な表記文字列が、前記各シート表面の中心位置に仮想設定された要所点を通る仮想放射状線またはそれらの仮想放射状線に直交する仮想直交線に沿い且つ前記表記文字列の各文字の上部が前記シートの外方向に向いて配置表示され、前記各シートは、前記シート表面の中心位置を通る放射状の折り畳み線に沿って折り畳まれる６個の同一扇形の折り畳み面として形成され、一方のシート裏面の一つの折り畳み面が、他方のシート裏面の一つの折り畳み面に接着され、前記各シートの裏面に形成された折り畳み面のうち互いに隣り合う位置にあって折り畳まれる際に互に接合する折り畳み面に、折り畳み接合面表示マークが付記され、前記各シートの対向する１対の折り畳み面の外縁部にシート開閉用タブが形成され、且つ一方のシートのシート開閉用タブの位置と他方のシートのシート開閉用タブの位置が、互いに重らない位置に設定されたことを特徴とする案内地図。
【考案の詳細な説明】
【技術分野】
【０００１】
この考案は、各地の繁華街エリア、ショッピングエリア、観光エリア、名所旧跡エリア、イベントエリア、テーマパーク、博覧会場、広域公園など、各種の所定の領域を徒歩で巡る人々が携行して、その領域内で自らの道案内に使用する案内地図に関するものである。なお、この出願において、繁華街エリア、ショッピングエリア、観光エリア、名所旧跡エリア、イベントエリア、テーマパーク、博覧会場、広域公園など、人々が訪れて歩いて巡る各種の行動領域の各々を、「所定の案内エリア」と称し、その所定の案内エリアを訪れて徒歩で巡る人を「来訪歩行者」と言う。
【背景技術】
【０００２】
多数の人々が訪れる各地の繁華街エリア、ショッピングエリア、観光エリア、名所旧跡エリア、イベントエリア、テーマパーク、博覧会場、広域公園などの所定の案内エリアにおいては、一般に要所要所に立看板様式の現地設置案内地図が設けられているが、それらの所定の案内エリアを徒歩で巡る来訪歩行者は、その所定の案内エリアを含む一般市販の区分地図を携行することが多い。そして来訪歩行者が所定の案内エリア内で所望の行き先の目的個所に向かって歩く際には、上記の現地設置案内地図を見ることに加えて、持参した携行地図（所定の案内エリアを含む一般市販の区分地図）を手元で開いて、その携行地図上で行き先の目的個所とその目的個所に通じる道筋を確かめながら目的個所へ向かって歩くことが多い。しかしながら、現地設置案内地図と携行地図に頼っても、所定の案内エリア内における目的個所の位置関係が容易に把握できず道に迷うことが多々あるという。そして、目的個所の位置を携行地図上で即座に把握できないことが多い要因は、この出願の考案者が行ったアンケートの結果から次のように考えられる。
【０００３】
すなわち、通常の携行地図では地図面の上方向を北方位と定めて地図が画かれているが、来訪歩行者が所定の案内エリアの現場で携行地図を広げて地図上で目的個所を探す場合、現在立っている来訪歩行者の向いている方向と携行地図上の北方位（携行地図の上方向）を合わせて目的個所を探すことは少なく、来訪歩行者が現在立っている状態で前方に目視できる任意の注目個所（例えば、目に留まる建造物）の方向と、携行地図に示された同注目個所の方向が合致するように、その広げた携行地図を左右に回転させた上で、その携行地図上で目的個所の位置を探して認識し、その目的個所に至る道筋を歩いて行く。なお、来訪歩行者が現在立っている状態で前方に目視できる任意の注目個所（例えば建造物）の方向と、携行地図に示された同注目個所の方向が合致するように、広げた携行地図を左右に回転させた状態においては、携行地図の上方向は来訪歩行者の現在向いている方向と合致することになる。しかし、このようにして携行地図上で目的個所を探す場合、従来の一般通常の携行地図では、北方向を地図の上方向に設定して地図が画かれ、且つその北方向を上にして地図を見た時に地図中の表記文字列（例えば注目個所や目的個所の名称を示す表記文字列）が読み易い方向に記されていることから、上記のように携行地図を左右に回転させた際に、その回転の度合いによって、地図中の目的個所や注目個所に関する表記文字列が斜め向きや横向きや逆さ向きになって、それらの表記文字列が極めて見難く読み難くなり、このことが目的個所の位置を携行地図上で即座に正しく把握できない大きな要因となっていると考えられる。また、所望の目的個所とその目的個所に通じる道を携行地図上で確認しながら歩く際の他の行動パターンとして、来訪歩行者が現地設置案内地図の前に向かって立って、手元で携行地図を開き、その携行地図を左右に回転させて現地設置案内地図上の方位と携帯地図上の方位を合わせた上で、現地設置案内地図上に示された目的個所の位置を携行地図上で把握して認識し、次いで必要に応じて携行地図を左右に回転させて携行地図の向きを自分の歩く方向に合わせて変えながら、その時々に現に前方に見える幾つかの注目個所の位置を携行地図上で確認しながら目的個所に到達することもある。しかしその場合でも、現地設置案内地図では、その現地設置地図に向かって立った来訪歩行者の前方向を地図面の上方向に設定して地図が画かれているのに対し、携行地図（一般市販の区分地図）では、北方位Nが地図面の上方向に設定されて地図が画かれており且つ地図上の目的個所・注目個所に関する表記文字列の方向の大部分が地図上の北から南方向あるいは西から東方向に配置されていることから（換言すれば、携行地図を開いて地図上の北方位Nを来訪歩行者の前方に向けて地図を見たときに、表記文字列が読み取り易い方向に統一されて配置されていることから）、携行地図を左右に回転させたときに、来訪歩行者から見た目的個所・注目個所の表記文字列の向きが、斜め向きや横向き、あるいは逆さ向きとなることが多く、そのことが携行地図上で目的個所・注目個所の位置を即座に正しく把握・認識することを難しくする要因となっていると考えられる。
【０００４】
さらにまた、互いに近接した複数の所定の案内エリアを一時期に順に訪れる場合には、それぞれの所定の案内エリアが画かれた個別の分離した複数の携行地図（一般市販の区分地図）を持参し、各所定の案内エリアを訪れた際に、その所定の案内エリアが画かれた当該携行地図を取り出して広げる必要があり、当該携行地図を手元で即時に選択して開閉することは極めて煩わしいことであった。
【考案の開示】
【考案が解決しようとする課題】
【０００５】
上記のように、従来一般に市販されている区分地図は、所定の案内エリアを訪れる来訪歩行者が携行する案内地図としては扱い難く、携行地図上で目的個所・注目個所の位置を即座に正しく把握・認識するに適したものではない。この考案は、各種の所定の案内エリアを徒歩で巡る人々が携行して、各所定の案内エリア現地で自分の道案内に使用する案内地図に関するもので、所定の案内エリア内で所望の目的個所に向かう過程において、手元で当該案内地図を開き、自分の向いている方向と注目個所・目的個所の方向に照らして、その案内地図を左右に回転させても、それらの目的個所・注目個所に関する表記文字列が読み取り易い方向に向くようにして、携行地図上で目的個所の位置と其処への道筋を即座に正しく把握・認識できるようにしようとするものである。
【０００６】
またこの考案は、案内地図の構造を、携行に便利なような折り畳み構造とし、また複数の異なる所定の案内エリアの案内地図を手元で容易に選択可能に一体化した構造とし、更にまた所定の案内エリアの現場で簡単な手さばきによって案内地図を即時に開閉できる構造にしようとするものである。
【課題を解決するための手段】
【０００７】
上記の課題を解決するために、この考案に係る案内地図は、開閉自在に折り畳まれるシートの表面に、所定の案内エリア内の目的個所とそれらの目的個所に通じる道の位置関係が平面図的に図示され、それらの目的個所および／または道に関する表記文字列の少なくとも主要な表記文字列が、上記シート表面に仮想設定された要所点を通る仮想放射状線またはそれらの仮想放射状線に直交する仮想直交線に沿う方向に記され、且つまた上記表記文字列の各文字の上部が上記シートの外方向に向いて配置表示されたものとする。
【０００８】
また上記の課題を解決するために、この考案に係る案内地図は、開閉自在に折り畳まれる複数のシートの各表面に、それぞれ異なる所定の案内エリア内の目的個所とそれらの目的個所に通じる道の位置関係が平面図的に図示され、それらの目的個所および／または前記道に関する表記文字列の少なくとも主要な表記文字列が、上記各シート表面に仮想設定された要所点を通る仮想放射状線またはそれらの仮想放射状線に直交する仮想直交線に沿い且つ前記表記文字列の各文字の上部が前記シートの外方向に向いて配置表示され、上記各シート裏面の一つの折り畳み面を他のシートの裏面の一つの折り畳み面に接着したものとする。そして望ましくは、上記要所点は上記シートの中心位置に設定する。
【０００９】
またこの考案に係る案内地図は、案内地図を携行に便利なようにコンパクトに体裁よく開閉自在に折り畳めるように、上記シートの形状を円形や正多角形とし、複数のシートを一体に重ね合わす場合には、その複数のシートを同一形状または相似形状とし、更に上記シートの折り畳み線を、シートの中心位置を通る放射線状に設定して各シートの各折り畳み面を同一形状にする。
【００１０】
またこの考案に係る案内地図は、広げた案内地図を手早く元に折り畳めるように、シートの裏面に形成された折り畳み面のうち、互いに隣り合う位置にあって折り畳む際に互に接合する折り畳み面に、折り畳み接合面表示マークを付記する。
【００１１】
またこの考案に係る案内地図は、所定の案内エリアの案内地図を簡単に即時に開閉できるように、上記シートにおける折り畳み面の外縁部に、１対のシート開閉用タブを形成し、また複数のシートを一体に重ね合わした案内地図の場合には、所望の案内エリアの案内地図のシートを手早く選択して開けるように、各シートの折り畳み面の外縁部に、各シート毎に対をなすシート開閉用タブを形成し、望ましくは各シートに形成される開閉用タブの形成位置を互いに重らない位置に設定して各シートの互に向かい合う折り畳み面の外縁部にシート開閉用タブを形成する。
【考案の効果】
【００１２】
そして上記のような特徴のある構成を備えたこの考案に係る案内地図を用いれば、所定の案内エリアを徒歩で巡る人々が手元で当該案内地図を開き、自分が向いている方向と注目個所・目的個所の方向に照らしてその案内地図を左右に回転させても、地図上の目的個所・注目個所に関する表記文字列の少なくとも主要な表記文字列が、読み取り易い方向、すなわち仮想放射状線に沿う上下方向、あるいはその仮想放射状線に直交する仮想直交線に沿う左右方向に並ぶので、携行地図上で目的個所の位置と其処への道筋を即座に正しく把握・認識することができ、したがってその携行地図に案内されて目的個所へ迷わず容易に到達できる。またこの考案に係る案内地図はコンパクトに折り畳める上に、一体に重ね合わされた複数の各所定の案内エリアの案内地図を手元で容易に手早く選択して開くことが可能となり、更にまた所定の案内エリアの現場で簡単な手さばきによって案内地図を即座に開閉できるので、この考案に係る案内地図の実用的効果は極めて大きいものである。
【考案を実施するための最良の形態】
【００１３】
この考案に係る案内地図の最良の実施形態は、開閉自在に折り畳まれる２枚の同径の円形のシートのそれぞれの表面に、それぞれ異なる所定の案内エリア内の目的個所とそれらの目的個所に通じる道の位置関係が平面図的に図示され、その目的個所および／または道に関する表記文字列の少なくとも主要な表記文字列が、各シート表面の中心位置に仮想設定された要所点を通る仮想放射状線またはそれらの仮想放射状線に直交する仮想直交線に沿い且つその表記文字列の各文字の上部が上記シートの外方向に向いて配置表示され、その各シートは、上記の中心位置を通る放射状の折り畳み線に沿って折り畳まれる６個の同一扇形の折り畳み面として形成され、一方のシート裏面の一つの折り畳み面が、他方のシート裏面の一つの折り畳み面に接着され、各シートの裏面に形成された折り畳み面のうち互いに隣り合う位置にあって折り畳まれる際に互に接合する折り畳み面に、折り畳み接合面表示マークが付記され、更に各シートの対向する一対の折り畳み面の外縁部にシート開閉用タブが形成され、且つその一方のシートのシート開閉用タブの位置と他方のシートのシート開閉用タブの位置が互いに重らない位置に設定された案内地図である。
【実施例１】
【００１４】
以下この考案を、図面を参考にして説明する。図面はこの考案の一実施例であるところの案内地図を示すもので、図１は２枚のシートからなる案内地図の第１シートを開いた状態における同第１シートの表面平面図、図２は同案内地図の第２シートを開いた状態での同第２シートの表面平面図、図３は同案内地図における表記文字列の配置方向説明図、図４は同案内地図のシートの一体化構成説明図、図５は同案内地図の折り畳み状態の平面図、図６は同案内図の折り畳み状態から開いた状態への変形過程斜視図、図７は同案内地図の使用説明図である。
【００１５】
図１ないし図５において、１は円形の第１シート、２は第１シート１と同径の円形の第２シートで、第1シート１および第２シート２は、用紙や撥水フィルムなどのシート材を加工してなる。第１シート１と第２シート２のそれぞれの表面（おもて面）には、それぞれ異なる所定の案内エリアＡ，Ｂ内の多数の目的個所（所定の案内エリアＡ，Ｂを訪れる人々が行き先として探す対象となり得る個所）a1，a2  ・・・、b1，b2  ・・・と、それらの目的個所a1，a2  ・・・、b1，b2  ・・・に通じる道c1，c2  ・・・、d1，d2  ・・・  の位置関係が平面的に図示され、且つ上記の目的個所a1，a2  ・・・、b1，b2  ・・・や、道c1，c2  ・・・、d1，d2  ・・・  の名称や種別を表す表記文字列やピクトグラム（以下、その表記文字列やピクトグラムを総称して「表記文字列」という）が付記されて各所定の案内アリアＡ，Ｂの地図が画かれており、上記の第1シート１および第２シート２のそれぞれの裏面が互いに接合する状態で第1シート１および第２シート２が一体に組み合わせられて携行に便利な案内地図Ｍが構成されている。
【００１６】
そして、図３で強調されるように、上記の表記文字列のうちの少なくとも主要な表記文字列e0，f0は、仮想の要所点Ｐを通る仮想放射状線Ｖまたはそれらの仮想放射状線Ｖに直交する仮想直交線Ｈに沿い、且つその表記文字列e0，f0の各文字の上部が第１シート１ならびに第２シート２の外方向に向いた状態で配置表示されている。またこの実施例では、要所点Ｐは、各所定の案内エリアＡ，Ｂ内に設けられている現地設置案内地図の設置個所や、来訪歩行者の多くが目的個所を確認するために立ち止まって携行地図を広げることが多いと考えられる個所に相当する携行地図上の位置に選定し、更に地図上の要所点Ｐの位置を、第１シート１ならびに第２シート２の中心位置に設定している。
【００１７】
なお、上記の実施例では、第１シート１には或る市街地の所定の案内エリアＡの地図が示され、第２シート２には同じ所定の案内エリアＡ内の中心部の拡大地図が所定の案内エリアＢとして示されたものであるが、所定の案内エリアＡ，Ｂの地図の組み合わせはこれに限らず、第１シート１には或る市街地の所定の案内エリアＡの地上地図が示され第２シート２には同じ所定の案内エリアＡの地下街の地図が示されたものや、あるいは第１シート１ならびに第２シート２にそれぞれ地域の全く異なる所定の案内エリアＡ，Ｂの地図が示されたものであっても良く、第１シート１ならびに第２シート２に画かれる地図の組み合わせは多様に選択できる。また上記のように、要所点Ｐを、所定の案内エリアの特定個所に相当する地図上の位置に選定したり、第１シート１ならびに第２シート２の中心位置に合わせることは必ずしも要しないが、案内地図を見やすく理解し易く扱い易くする上で斯様な位置に要所点Pを設定することは効果的である。
【００１８】
また図４において、（ａ）は第１シート１の表面の略図を示し、（ｂ）は第１シート１の裏面の略図を示し、（ｃ）は第２シート２の表面の略図を示し、（ｄ）は第２シート２の裏面の略図を示したもので、第１シート１の表面は、図４の（ａ）に示すように、第1シート１および第2シート２の中心位置Ｐ（要所点Ｐ）を通る放射状の折り畳み線Ｋに沿って折り畳まれる６個の同一扇形の折り畳み面Ｑ11，Ｑ12，Ｑ13，Ｑ14，Ｑ15，Ｑ16として形成され、第１シート１の裏面は、図４の（ｂ）に示すように、中心位置Ｐ（要所点Ｐ）を通る放射状の折り畳み線Ｋに沿って折り畳まれる６個の同一扇形の折り畳み面Ｑ31，Ｑ32，Ｑ33，Ｑ34，Ｑ35，Ｑ36として形成され、第２シート１の表面は、図４の（ｃ）に示すように、中心位置Ｐ（要所点Ｐ）を通る放射状の折り畳み線Ｋに沿って折り畳まれる６個の同一扇形の折り畳み面Ｑ21，Ｑ22，Ｑ23，Ｑ24，Ｑ25，Ｑ26として形成され、第２シート２の裏面は、図４の（ｄ）に示すように、中心位置Ｐ（要所点Ｐ）を通る放射状の折り畳み線Ｋに沿って折り畳まれる６個の同一扇形の折り畳み面Ｑ41，Ｑ42，Ｑ43，Ｑ44，Ｑ45，Ｑ46として形成され、第１シート１の裏面の一つの折り畳み面Ｑ31が、第２シート２の裏面の一つの折り畳み面Ｑ41に接着されて、この考案に係る案内地図Ｍが構成されるものである。
【００１９】
また、図４の（ｂ）（ｄ）に示すように、第１シート１の裏面に形成された折り畳み面Ｑ32，Ｑ33，Ｑ34，Ｑ35，Ｑ36のうち互に隣り合う位置にあって折り畳まれる際に互に接合する折り畳み面Ｑ32，Ｑ33と折り畳み面Ｑ35，Ｑ36に、それぞれ識別できる折り畳み接合面表示マークn1（黒丸印）、n2（三角印）が付記され、同様に第２シート２の裏面に形成された折り畳み面Ｑ42，Ｑ43，Ｑ44，Ｑ45，Ｑ46のうち互に隣り合う位置にあって折り畳まれる際に互に接合する折り畳み面Ｑ42，Ｑ43と折り畳み面Ｑ45，Ｑ46に、それぞれ識別できる折り畳み接合面表示マークn3（二重丸印）、n4（×印）が付記されている。そして案内地図Ｍを折り畳んで携行する際に、上記の対をなす同種の折り畳み接合面表示マークn1同士、n2同士、n3同士、n4同士を合わせることにより、折り畳み面Ｑ32，Ｑ33，Ｑ34，Ｑ35，Ｑ36，Ｑ42，Ｑ43，Ｑ44，Ｑ45，Ｑ46を手早く正しく接合させて図５に示すような形態に簡単に折り畳むことができるようにしている。
【００２０】
更にまた、第１シート１および第２シート２のそれぞれにおいて、対向する１対の折り畳み面、例えば第１シート１の折り畳み面Ｑ11とＱ14の外縁部に、それぞれシート開閉用タブＴ1とＴ3を形成すると共に、第２シート２の折り畳み面Ｑ21とＱ24の外縁部に、それぞれシート開閉用タブＴ2とＴ4を形成し、且つ第１シート１のシート開閉用タブＴ1，Ｔ3の位置と第２シート２のシート開閉用タブＴ2，Ｔ4の位置が互いに重らない位置に設定している。そして上記のように配設されたシート開閉用タブＴ１，Ｔ３あるいはＴ２，Ｔ４を選択して掴んで両側に引くことにより、第１シート１の地図あるいは第２シート２の地図を手早く選択して手早く開くことができ、開いた案内地図を閉じるときには、前記の同種の折り畳み接合面表示マークn1（黒丸印）同士、n2（三角印）同士、n3（二重印）同士、n4（×印）同士を合わせながら、シート開閉用タブＴ１，Ｔ３，Ｔ2，Ｔ4を元の位置に戻すことにより、手早く簡単に案内地図Ｍを閉じて当初の形態に折り畳むことができるものである。  図６は、案内地図Ｍが折り畳み状態から完全に開いた状態へ移る過程を示すもので、例えば図６の（ａ）に示すように開閉用タブＴ１，Ｔ３を選んで掴み矢印方向に引くと、案内地図Ｍが、図６の（ａ）−（ｂ）−（ｃ）−（ｄ）−（ｅ）−（ｆ）−（ｇ）に示す順に順次変形しながら図６の（ｈ）に示すように第1シート１の地図が完全に開かれる。また図６の（ａ）に示す状態から開閉用タブＴ２，Ｔ４を選んで掴んで矢印方向に引けば、案内地図Ｍが順次変形しながら今度は第２シート２の地図が完全に開かれるものである。
【００２１】
なお、上記実施例に示した案内地図Ｍは、異なる所定の案内エリアの地図が画かれた2枚の同径円形の第1シート１と第2シート２から成り、それらのシートを六つ折りに折り畳むものであるが、シートの形状や枚数、あるいは折り畳み数は基本的に何ら制約されるものではない。ただ、案内地図の作成、携行、取扱操作などの実用上の観点から見て、シートの形状は同一形状の円形または正多角形（特に正６角形）で六つ折り畳み程度が望ましい。また一つの案内地図Ｍに組み入れるシート（所定の案内エリアの地図）の数は基本的に制限されるものではなく、多数のシートを重ね合わせて一体化したものでも良い。その場合には、第1シートと第２シートの各裏面の一つの折り畳み面を互いに接着し、次いで第2シートの裏面の残りの折り畳み面の一つと第３シートの裏面の折り畳み面の一つを接着し、以下同様にして各シートの裏面の折り畳み面の一つを順次接着して一体化することにより、異なる案内エリアの地図が画かれた多数のシートの中から任意の一つを選んで手早く開閉できる案内地図を構成することができる。
【００２２】
図７はこの考案に係る案内地図の使用説明図で、案内地図Ｍを利用する際には、図７の（ａ）に示すように、所望のシートのシート開閉用タブＴ１，Ｔ３（あるいはシート開閉用タブＴ２，Ｔ４）を矢印方向に引くことにより、図７の（ｂ）に示すように、所望のシートが開かれる。次いで図７の（ｂ）の矢印で示すようにシートを左右に回転させて、自分が現在立っている前方に目視できる注目個所（例えば、目に留まる建造物）の方向とシート上の地図に示された上記注目個所の方向が合致させた上で、その広げた携行地図上で目的個所の位置と目的個所に至る道を察知し確認してその道筋歩いて行く。そして上記のように案内地図Ｍのシートを回転させながら目的個所を地図上で探す過程において、注目個所・目的個所や其処に至る道に関する主要な表記文字列は前記仮想放射状線Ｖや前記仮想直交線Ｈに沿う方向に並んでいて、案内地図を見る来訪歩行者から見て読み取り易い方向に向いているので、携行地図上で目的個所の位置と其処への道筋を即座に正しく把握・認識できる。
【産業上の利用可能性】
【００２３】
地域産業の振興・発展と日常生活の質的向上が重視される中で、各地の繁華街エリア、ショッピングエリア、観光エリア、名所旧跡エリア、テーマパーク、広域公園などが日々生成・整備され、各地で種々の博覧会やイベントが催されており、それらの所定の案内エリアを訪れる人々も多くなっている。そして、この考案に係る案内地図は、前記の実施例からも明らかなように、それらの所定の案内エリアを訪れる人々（来訪歩行者）にとって大きな助けになるものであり、地域産業・社会の活性化の一助として大いに活用し得るものである。また、この考案に係る案内地図は、従来実用化されていない新規な形態の地図でありその使用効果が顕著であることから、地図の製作・販売業界においても大いに利用し得るものである。
【図面の簡単な説明】
【００２４】
【図１】この考案の一実施例を示す２枚のシートからなる案内地図の第１シートを開いた状態における同第１シートの表面平面図。
【図２】同案内地図の第２シートを開いた状態での同第２シートの表面平面図。
【図３】同案内地図における表記文字列の配置方向説明図。
【図４】同案内地図のシートの一体化構成説明図。
【図５】同案内地図の折り畳み状態の平面図。
【図６】同案内地図の折り畳み状態から開いた状態への変形過程斜視図。
【図７】同案内地図の使用説明図。
【符号の説明】
【００２５】
１：第１シート
２：第２シート
Ａ，Ｂ：所定の案内エリア
a1，a2，・・・，b1，b2，・・・：目的個所
c1，c2，・・・，d1，d2，・・・：道
e0，f0：表記文字列
Ｈ：仮想直交線
Ｋ：放射状線の折り畳み線
Ｍ：案内地図
N1，n2，n3，n4：折り畳み接合面表示マーク
Ｐ：要所点
Ｑ11，Ｑ12，Ｑ13，Ｑ14，Ｑ15，Ｑ16：第１シート表面の折り畳み面
Ｑ21，Ｑ22，Ｑ23，Ｑ24，Ｑ25，Ｑ26：第２シート表面の折り畳み面
Ｑ31，Ｑ32，Ｑ33，Ｑ34，Ｑ35，Ｑ36：第１シート裏面の折り畳み面
Ｑ41，Ｑ42，Ｑ42，Ｑ44，Ｑ45，Ｑ46：第２シート裏面の折り畳み面
T1，T2，T3，T4：シート開閉用タブ
Ｖ：仮想放射状線
【図３】
0003114884.tif 000003
【図５】
0003114884.tif 000004
【図１】
0003114884.tif 000005
【図２】
0003114884.tif 000006
【図４】
0003114884.tif 000007
【図６】
0003114884.tif 000008
【図７】
0003114884.tif 000009